(57)【要約】【課題】収納容器毎にセキュリティ装置を制御することが可能な有価媒体処理装置を提供する。【解決手段】有価媒体処理装置は、有価媒体を収納するとともにセキュリティ装置をそれぞれ個別に備える複数の収納部と、前記複数の収納部のうちの抜き取るべき収納部を特定する第１の信号を受信し、前記第１の信号の内容に従って、前記抜き取るべき収納部が備える前記セキュリティ装置のモードを切り替える制御部と、を備える。【選択図】図３
2019032748.tif 000002
【特許請求の範囲】
【請求項１】
有価媒体を収納するとともにセキュリティ装置をそれぞれ個別に備える複数の収納部と、
前記複数の収納部のうちの抜き取るべき収納部を特定する第１の信号を受信し、前記第１の信号の内容に従って、前記抜き取るべき収納部が備える前記セキュリティ装置のモードを切り替える制御部と、
を備える有価媒体処理装置。
【請求項２】
前記抜き取るべき収納部以外の前記収納部を抜き取る誤操作を防止するための誤操作防止装置を更に備え、
前記誤操作防止装置は、前記抜き取るべき収納部以外の前記収納部を抜き取り不能な状態にするとともに前記抜き取るべき収納部を抜き取り可能な状態にすることと、前記抜き取るべき収納部以外の前記収納部と前記抜き取るべき収納部とを区別可能とする報知を行うこととの、少なくとも一方を行う装置であり、
前記制御部は、前記第１の信号の内容に従って、前記誤操作防止装置を作動させる、
請求項１に記載の有価媒体処理装置。
【請求項３】
前記誤操作防止装置は、前記収納部を固定することで前記収納部を抜き取り不能な状態にするとともに、前記収納部の固定を解除することで前記収納部を抜き取り可能な状態にするロック機構を有する、
請求項２に記載の有価媒体処理装置。
【請求項４】
前記セキュリティ装置のモードを切り替える条件と、前記誤操作防止装置を作動させる条件とは、互いに異なる、
請求項２又は３に記載の有価媒体処理装置。
【請求項５】
扉を有する防護筐体を更に備え、
前記複数の収納部は前記防護筐体内に配置されており、
前記セキュリティ装置のモードを切り替える条件は、前記第１の信号を受信したということと、前記第１の信号を受信し且つ前記扉を開くための操作が行われたということとの何れか一方であり、
前記誤操作防止装置を作動させる条件は、前記第１の信号を受信したということと、前記第１の信号を受信し且つ前記扉を開くための操作が行われたということとの何れか他方である、
請求項４に記載の有価媒体処理装置。
【請求項６】
前記セキュリティ装置は、前記セキュリティ装置を備える前記収納部の内部に収納されている前記有価媒体にインクを付着させるインク付着機構を有する、
請求項１乃至５の何れかに記載の有価媒体処理装置。
【請求項７】
前記制御部は、前記抜き取るべき収納部が備える前記セキュリティ装置のモードを、切り替え前のモードよりも前記セキュリティ装置が作動しにくいモードに切り替える請求項１乃至６の何れかに記載の有価媒体処理装置。
【請求項８】
前記セキュリティ装置は、前記セキュリティ装置の作動状態を示す第２の信号を送出する信号送出部を有する、
請求項１乃至７の何れかに記載の有価媒体処理装置。
【請求項９】
複数の収納部のうちの抜き取るべき収納部を特定する第１の信号を受信するステップと、
前記第１の信号の内容に従って、前記抜き取るべき収納部が備えるセキュリティ装置のモードを切り替えるステップと、
を含む、有価媒体処理方法。
【発明の詳細な説明】
【技術分野】
【０００１】
本発明は、紙幣や硬貨等の有価媒体を処理する有価媒体処理装置及び有価媒体処理方法、具体的には、セキュリティ装置を備えた有価媒体処理装置及び有価媒体処理方法に関する。
【背景技術】
【０００２】
従来、紙幣や硬貨等の有価媒体を種類（有価媒体の所有者、金種、正損等）別に分類し収納する有価媒体処理装置が実用化されている。このような有価媒体処理装置において、有価媒体は種類別に分類された後、それぞれ個別の収納部に収納される。
【０００３】
また、有価媒体処理装置から盗難された有価媒体が使用されることを防止するため、セキュリティ装置を収納部に設けることが提案され、実用化されている（例えば特許文献１）。このようなセキュリティ装置によれば、収納部に振動又は衝撃が加わった際に、有価媒体に向けてインクが噴霧される。インクが付着した有価媒体は盗難されたものであると一目でわかるので盗難者が使用することを防ぐことができる。このようなセキュリティ装置は、各収納部に個別に設けられる。
【０００４】
このような有価媒体処理装置から有価媒体を回収する際、警備輸送業者又は有価媒体の所有者等の回収者は、例えばリモコン操作によって、各収納部に設けられているセキュリティ装置の全てのセキュリティレベルを一時的に低下させる。その結果、有価媒体回収時、セキュリティ装置は作動しにくくなる。よって、回収者はセキュリティ装置を作動させることなく、回収目的の有価媒体が収納されている収納容器を抜き取り、当該有価媒体を回収することができる。
【０００５】
しかしながら、このような有価媒体処理装置では、一時的とはいえ、全てのセキュリティ装置のセキュリティレベルが低下する期間が生じるので好ましくない。
【先行技術文献】
【特許文献】
【０００６】
【特許文献１】米国特許第６５１３４４４号明細書
【発明の概要】
【発明が解決しようとする課題】
【０００７】
本発明はこのような状況に鑑みなされたものであり、収納容器毎にセキュリティ装置を制御することが可能な有価媒体処理装置を提供することを目的とする。
【課題を解決するための手段】
【０００８】
本発明に係る有価媒体処理装置は、有価媒体を収納するとともにセキュリティ装置をそれぞれ個別に備える複数の収納部と、前記複数の収納部のうちの抜き取るべき収納部を特定する第１の信号を受信し、前記第１の信号の内容に従って、前記抜き取るべき収納部が備える前記セキュリティ装置のモードを切り替える制御部と、を備える。
【０００９】
また、本発明に係る有価媒体処理方法は、複数の収納部のうちの抜き取るべき収納部を特定する第１の信号を受信するステップと、前記第１の信号の内容に従って、前記抜き取るべき収納部が備えるセキュリティ装置のモードを切り替えるステップと、を含む。
【発明の効果】
【００１０】
本発明によれば、収納容器毎にセキュリティ装置を動作させることが可能な有価媒体処理装置を提供することができる。
【図面の簡単な説明】
【００１１】
【図１】紙幣処理装置の模式図。
【図２】紙幣処理装置要部の模式図。
【図３】抜き取る収納容器を特定する信号を受信した状態を示す説明図。
【図４】収納庫扉を開く操作が行われた状態を示す説明図。
【発明を実施するための形態】
【００１２】
以下、本発明について、有価媒体が紙幣である場合を例に挙げて、図面を参照しながら詳細に説明する。
【００１３】
なお、以下の説明において、紙幣処理装置の「前」とは、紙幣の投入及び排出の操作を投入口及び排出口を介して行う操作者側を意味する。言い換えると、紙幣処理装置の「前」とは、紙幣の投入口及び排出口が設けられた側を意味する。また、紙幣処理装置の「後」とは、その反対側を意味する。また、紙幣処理装置の「左」とは、上記操作者から見て左側を意味し、紙幣処理装置の「右」とは、上記操作者からみて右側を意味する。
【００１４】
図１は本発明に係る有価媒体処理装置の一例である紙幣処理装置１を右側から見た断面模式図である。紙幣処理装置１は、紙幣を入出金する紙幣入出金機である。紙幣処理装置１は、処理部１０及び処理部１０の下方に設けられた収納庫２０、収納庫２０の下に設けられた第２収納庫３０を備える。
【００１５】
処理部１０は上部筐体１１によって囲われている。上部筐体１１の前方、すなわち処理部１０の前方には、入金口１２１と出金口１３１が設けられている。上部筐体１１内、すなわち処理部１０内には、搬送部１５、識別部１６、一時保留部１７及び制御部１８が配置されている。
【００１６】
入金口１２１の近傍には所定の周期で紙幣を１枚ずつ搬送部１５に繰り出す紙幣繰り出し機構（図示略）が配置されている。入金口１２１と紙幣繰り出し機構によって入金部１２が構成されている。
【００１７】
出金口１３１の近傍には、紙幣を積み重ねる集積機構（図示略）が配置されている。出金口１３１と集積機構によって出金部１３が構成されている。必要に応じて、出金部１３と同様の構成を有する第２出金部１４を出金部１３の隣に設けてもよい。
【００１８】
なお、処理部１０の前方には、必要に応じて入金部１２と出金部１３のいずれか一方のみが設けられていてもよい。また、紙幣の入金及び出金の両方が行われる開口が設けられるとともに、この開口の周囲に紙幣繰り出し機構及び集積機構が配置されることによって、入出金部が設けられていてもよい。
【００１９】
搬送部１５は、紙幣を所定の搬送速度で搬送する。搬送部１５は、紙幣を搬送するベルト機構やローラ機構によって構成されている。搬送部１５は、紙幣を双方向に搬送可能とするループ状搬送路１５０と、このループ状搬送路１５０から分岐する第１分岐路１５１、第２分岐路１５２、第３分岐路１５３及び第４分岐路１５４を有している。第１分岐路１５１〜第４分岐路１５４は、それぞれ、ループ状搬送路１５０と入金部１２、出金部１３、一時保留部１７、並びに、収納庫２０及び第２収納庫３０とを接続する。
【００２０】
識別部１６は、画像センサ、光学センサ、磁気センサ等のセンサを備えており、搬送部１５で搬送される紙幣の真偽、金種、正損等を識別する。
【００２１】
一時保留部１７は、紙幣を一時的に収納する。一時保留部１７は、紙幣を１枚ずつ取り込んで収納し、収納している紙幣を１枚ずつ繰り出す。一時保留部１７は、例えば、複数の紙葉類が回転体に巻き取られた状態で収納される巻き取り式の収納部で構成することができる。また一時保留部１７は、複数の紙葉類が積層状態で収納される積層式の収納部で構成されていてもよい。
【００２２】
制御部１８は、少なくともＣＰＵとメモリを備えている。制御部１８は、搬送部１５を介して、入金部１２、出金部１３、一時保留部１７、収納庫２０及び第２収納庫３０の間で紙幣が搬送されるように、紙幣処理装置１を構成する各部を制御する。
【００２３】
また、制御部１８は、外部端末２と有線又は無線によって通信可能に接続され、セキュリティ装置４０（図２参照）のモード変更と、誤操作防止装置５０（図２参照）の制御を行う。この制御については後に詳述する。
【００２４】
収納庫２０は、例えば金庫のような容易に内部にアクセスすることができない防護筐体で構成することができ、下部筐体２１、及び、下部筐体２１の前方又は後方に設けられた施錠可能な収納庫扉２２を有している。なお、本明細書において、「収納庫扉」は、下部筐体２１が有する開口部を閉鎖することができる部材を総称したものである。よって、「収納庫扉」には、例えば、下部筐体２１にヒンジを介して取り付けられた扉、下部筐体２１に沿ってスライド移動可能な引き戸、及び、下部筐体２１に接離可能な板部材等が含まれる。
【００２５】
収納庫２０内には、収納庫扉２２を開いた後、前方に引き出し可能な引き出し部２３が備え付けられている。引き出し部２３内には、前方から順に、多目的収納部２４が１つ、第１収納部２５が１つ、第２収納部２６が３つ配置されている。また、多目的収納部２４と、第１収納部２５の間に、第４分岐路１５４の１本が延長されて配置されている。
【００２６】
多目的収納部２４は、引き出し部２３に対して着脱自在なカセット式の収納部であり、複数の紙幣が積層状態で収納される積層式の収納領域Ｓを有している。多目的収納部２４は、様々な目的で使用することができる紙幣収納部であり、例えば、オーバーフロー紙幣、出金リジェクト紙幣、取忘紙幣、偽券、疑券の収納に用いられる。オーバーフロー紙幣とは、それを収納すべき収納部（第１収納部２５又は第２収納部２６）が満杯になったために当該収納部に収納できなくなった紙幣である。また、出金リジェクト紙幣とは、紙幣の出金処理が行われる際に第１収納部２５又は第２収納部２６から繰り出された紙幣のうち、斜行等の搬送異常により識別部１６で正常に識別することができなかった紙幣である。また、取忘紙幣とは、出金部１３に一旦出金された後、出金部１３から取り出されることなく所定時間が経過した紙幣である。
【００２７】
第１収納部２５は、引き出し部２３に対して着脱自在なカセット式の収納部であり、上下に並ぶ２つの収納領域Ｓを有している。上側の収納領域Ｓは第４分岐路１５４と接続されており、下側の収納領域Ｓは他の第４分岐路１５４から分岐する第５分岐路１５５に接続されている。これら２つの収納領域Ｓは、複数の紙葉類が積層状態で収納される積層式の収納領域、又は、複数の紙葉類が回転体に巻き取られた状態で収納される巻き取り式の収納領域である。これらの収納領域Ｓには、真偽、正損、金種等によって分類された紙幣のうちの特定の種類の紙幣が収納される。
【００２８】
第２収納部２６は、引き出し部２３に対して着脱自在なカセット式の収納部であり、第４分岐路１５４に接続された１つの収納領域Ｓを有している。この収納領域Ｓは、複数の紙葉類が積層状態で収納される積層式の収納領域である。この収納領域Ｓには、真偽、正損、金種等によって分類された紙幣のうちの特定の種類の紙幣が収納される。
【００２９】
多目的収納部２４と第１収納部２５との間に配置された第４分岐路１５４は、第２収納庫３０内に配置された回収部３３と接続される。
【００３０】
第２収納庫３０は、例えば金庫のような容易に内部にアクセスすることができない防護筐体で構成することができ、底部筐体３１、及び、底部筐体３１の前方又は後方に設けられた施錠可能な第２収納庫扉３２を有している。また、第２収納庫３０は、その内部に回収部３３を有する。回収部３３は収納領域Ｓを有し、この収納領域Ｓ内には、入金部１２から入金された紙幣や収納庫２０内に収納された紙幣のうち、回収すべき紙幣が収納される。回収すべき紙幣が内部に収納された後、回収作業者によって回収部３３内から紙幣が回収される。もしくは、回収すべき紙幣が内部に収納された後、回収部３３は回収作業者によって紙幣処理装置１から取り外され、紙幣とともに回収される。また、空の回収部３３が代わりに取り付けられる。
【００３１】
なお、紙幣処理装置１は、収納庫扉２２及び第２収納庫扉３２を覆い隠す化粧カバー（不図示）を備えていても良い。
【００３２】
図２は、紙幣処理装置１の要部を示す模式図である。紙幣処理装置１は、収納庫扉２２を開くための操作が行われたことを検知する扉センサ２７を有する。扉センサ２７は例えば、収納庫扉２２が下部筐体２１（図１参照）から離れたとき、又は、収納庫扉２２が有するハンドルが動いたときにこれらの動きを検知するリミットスイッチ又は近接センサ等のセンサとすることができる。扉センサ２７は収納庫扉２２を開くための操作が行われたことを検知すると、制御部１８に当該操作が行われたことを知らせる信号を送出する。なお、収納庫扉２２を開くための操作は、金庫開錠のための鍵による操作や、金庫に設けられたダイヤルキー等にパスワード等を入力する操作であってもよい。
【００３３】
多目的収納部２４、第１収納部２５及び第２収納部２６（以下の説明では、必要に応じ、これらを総称して「収納部」と記載する）は、それぞれセキュリティ装置４０を個別に備えている。セキュリティ装置４０は、当該収納部が強盗等の犯罪に巻き込まれた際に、被害の拡大の防止等のために、犯罪があったことを示す証拠を残したり情報を出力する機能を有する。例えば本発明では、振動や衝撃を検知すると各収納部の収納領域Ｓ内に収納されている紙幣に向けてインクを噴霧し、紙幣に犯罪に巻き込まれた紙幣であることを示すインクを付着させるインク付着機構を有する。なお、インク付着機構の詳細な構造は本発明の本質では無いので説明を割愛する。
【００３４】
制御部１８は、各セキュリティ装置４０のモードを個別に設定することが可能である。設定されるモードは、セキュリティ装置４０の動作条件を複数のモードのうちから選択可能に定義したものであり、例えば、モードＡ、モードＢ及びモードＣの３つである。ただし、モードの数はこれに限定されるものではなく、要求仕様や用途、装置構成等に合わせて適宜設定してもよい。
【００３５】
モードＡは収納部を紙幣処理装置１内に設置するときに設定されるモードである。モードＡに設定されると、紙幣処理装置１内に設置されている収納部に通常加わらない振動又は衝撃、すなわち、比較的小さな第１の閾値以上の大きさの振動又は衝撃が加わったときにセキュリティ装置４０は作動する。モードＡは他のモードと比較して、最もセキュリティ装置４０が作動しやすいモードである。モードＡは収納部の紙幣処理装置１内での保管に適したモードである。
【００３６】
モードＢはモードＡよりもセキュリティ装置４０が作動しにくいモードであり、収納部を紙幣処理装置１から取り外すとともに輸送するときに設定されるモードである。モードＢに設定されると、引き出し部２３から抜き出すときに収納部に通常加わる程度の振動又は衝撃、及び、輸送時に収納部に通常加わる程度の振動又は衝撃では、セキュリティ装置４０は作動しない。すなわち、第１の閾値よりも大きな第２の閾値以上の大きさの振動又は衝撃が加わったときにセキュリティ装置４０は作動する。
【００３７】
モードＣは、モードＢよりもセキュリティ装置４０が作動しにくいモードであり、収納部から紙幣を取り出すときに設定されるモードである。モードＣに設定されると、収納部が有する蓋を無理矢理開いたり、当該蓋が有する電子錠等の錠を破損させたりするときに発生する強い振動又は衝撃が加わらないとセキュリティ装置４０は作動しない。すなわち、第２の閾値よりも大きな第３の閾値以上の大きさの振動又は衝撃が加わらない限り、セキュリティ装置４０は作動しない。
【００３８】
図２には、多目的収納部２４、第１収納部２５及び第２収納部２６が備えるセキュリティ装置４０とともに「Ａ」の文字が表示されている。この表示は、これらのセキュリティ装置４０がモードＡに設定されていることを示している。
【００３９】
また、紙幣処理装置１は、抜き取るべき収納部以外の収納部を抜き取る誤操作を防止するための誤操作防止装置５０を備えている。誤操作防止装置５０は、多目的収納部２４、第１収納部２５及び第２収納部２６をそれぞれ引き出し部２３に固定する５つのロック機構５１を有している。ロック機構５１は収納部を引き出し部２３に固定できる機構であればどのようなものであっても良い。５つのロック機構５１によって、抜き取るべき収納部の固定を解除するとともに、他の収納部の固定を維持することにより、抜き取るべき収納部以外の収納部が抜き取られることを防止することができる。すなわち、抜き取り作業を行う者が、抜き取るべき収納部以外の収納部を抜き取るという誤操作をすることを防止できる。
【００４０】
誤操作防止装置５０は、更に、多目的収納部２４、第１収納部２５及び第２収納部２６にそれぞれ対応付けられた５つのランプ５２を有している。ランプ５２は例えばＬＥＤである。５つのランプ５２の内、抜き取るべき収納部に対応付けられたランプ５２を点灯させるとともに、他のランプを消灯させることにより、誤操作防止装置５０は、いずれの収納部が抜き取るべき収納部であるのかを光で報知する。よって、抜き取るべき収納部とそうではない収納部との区別が容易となる。したがって、抜き取り作業を行う者が、抜き取るべき収納部以外の収納部を抜き取るという誤操作をすることを防止できる。なお、光による報知は、点灯と消灯の組み合わせではなく、点滅と消灯の組み合わせ又は点滅と点灯の組み合わせであっても良い。また、光による報知は、発光色の変更によるものであってもよい。
【００４１】
セキュリティ装置４０及び誤操作防止装置５０は、例えば次のように作動する。まず、抜き取るべき収納部又は回収すべき金種を指定する情報を含む第１の信号が、外部端末２から制御部１８に送出される。なお、外部端末２は、例えば、紙幣処理装置１が設置された銀行等の店舗、又は、紙幣回収業者が有する端末である。これらの端末は、据え置き型のコンピュータであっても良いし、タブレット型コンピュータ又はスマートフォン等の携帯型のコンピュータであっても良い。
【００４２】
この第１の信号を受信すると、制御部１８は、特定された収納部が備えるセキュリティ装置４０のモードを、モードＡからモードＢ（必要に応じてモードＣ）に切り替える。図３には、多目的収納部２４が備えるセキュリティ装置４０のモードがモードＢに切り替えられた状態が示されている。なお、回収すべき金種が指定された場合、制御部１８は、当該金種を収納している第１収納部２５又は第２収納部２６のモードを切り替える。
【００４３】
また、図４に示されるように、紙幣回収を行う作業者によって収納庫扉２２が開かれると、扉センサ２７から制御部１８に収納庫扉２２を開くための操作が行われたことを知らせる信号が送出される。当該信号を受信すると、制御部１８は、外部端末２から受信した第１信号によって特定された多目的収納部２４を固定しているロック機構５１の作動を解除し、多目的収納部２４を取り外し可能な状態とする。更に、当該信号を受信すると、制御部１８は、多目的収納部２４に対応するランプ５２のみを点灯させ、いずれの収納部が抜き取るべき収納部であるのかを区別可能な状態にする。
【００４４】
よって、収納庫扉２２を開いた後に引き出し部２３を引き出した作業者は、点灯しているランプ５２に対応する多目的収納部２４が抜き取るべき収納部であるということを容易に理解できる。したがって、抜き取るべき収納部ではない第１収納部２５又は第２収納部２６を抜き取るという誤操作が防止される。
【００４５】
また、抜き取るべき収納部である多目的収納部２４はロック機構５１によって固定されていない一方、第１収納部２５及び第２収納部２６はロック機構５１によって固定されている。よって、仮に多目的収納部２４以外の収納部を抜き出そうとしても、ロック機構５１によって固定されているため抜き出すことができない。したがって、抜き取るべき収納部ではない第１収納部２５又は第２収納部２６を抜き取るという誤操作が防止される。
【００４６】
また、抜き取るべき収納部である多目的収納部２４が備えるセキュリティ装置４０のモードはモードＡからモードＢに切り替えられているので、多目的収納部２４の抜き出し作業を行ってもセキュリティ装置４０は作動しない。一方、第１収納部２５及び第２収納部２６のモードはモードＡのままとされている。そのため、抜き取るべき収納部ではない第１収納部２５又は第２収納部２６が抜き取られた場合又は抜き取りが試みられた場合に、その収納部に設けられたセキュリティ装置４０を作動させることができる。
【００４７】
紙幣処理装置１によれば、抜き取るべき収納部として特定された収納部が備えるセキュリティ装置４０のみに関してモードを切り替えることができる。よって、それ以外の収納部のセキュリティレベルを高く保ったまま、紙幣処理装置１の運用を行うことができる。すなわち、全てのセキュリティ装置４０のセキュリティレベルが低下する期間は生じない。なお、例えば異常発生時の対応等の必要に応じて、リモコンによって全てのセキュリティ装置４０のモードを一括して変更できるようにしても良い。
【００４８】
上記実施形態では、抜き取るべき収納部として１つの収納部が特定されたが、抜き取るべき収納部として複数の収納部が特定されても良いことは勿論である。
【００４９】
上記実施形態では、第１の信号を受信することで、セキュリティ装置４０のモードが切り替えられ、第１の信号を受信するとともに収納庫扉２２が開かれることで誤操作防止装置５０が作動する。すなわち、セキュリティ装置４０のモードが切り替えられる条件と、誤操作防止装置５０を作動させる条件とが異なる。よって、セキュリティ装置４０によるセキュリティの確保と、誤操作防止装置５０によるセキュリティの確保が、１つの操作によって一度に失われることを防止することができる。なお、第１の信号を受信することで、誤操作防止装置５０が作動し、第１の信号を受信するとともに収納庫扉２２が開かれることでセキュリティ装置４０のモードが切り替えられてもよいことは勿論である。また、セキュリティ装置４０のモードが切り替えられる条件および変更後のモード設定と、誤操作防止装置５０を作動させる条件を、所定の権限を有する作業者が外部端末２から設定変更可能に構成してもよい。
【００５０】
上記実施形態では、誤操作防止装置５０はロック機構５１とランプ５２の両方を備えていたが、誤操作防止装置５０はこれらの何れか一方のみを備えていても良い。また、誤操作防止装置５０は、いずれの収納部が抜き取るべき収納部であるのかを音声で報知するスピーカーを１つ又は複数有していても良い。
【００５１】
なお、外部端末２に外部端末２の操作者のＩＤ、所定のパスワード及び外部装置２の操作者の生体情報のいずれか１つ以上を入力しないと外部端末２から制御部１８へ第１の信号を送出できないようにしてもよい。このようにすることで、紙幣処理装置１をより安全に運用することができる。紙幣処理装置１を更に安全に運用するために、パスワードとして、使用可能回数や使用可能時間に制限のあるパスワードを用いても良い。
【００５２】
また、制御部１８は、紙幣回収スケジュールを予め記憶しておくとともに、外部端末２から、いつどの収納部の抜き出すかという情報を含む第１の情報を受信しても良い。この場合、制御部１８は、記憶している情報と受信した第１の信号に含まれている情報とを照合し、それらの間に矛盾がない場合に、抜き取るべき収納部が備えるセキュリティ装置４０のモードを切り替える。よって、紙幣処理装置１をより安全に運用することができる。なお、紙幣回収スケジュールの入力は、紙幣処理装置１が備える操作部（不図示）を介して行われても良いし、外部端末２を介して行われても良い。
【００５３】
また、セキュリティ装置４０は、周囲にいる人の注目を集めるブザーのような大音量の音声を出力する音声出力機構（不図示）を有していても良い。
【００５４】
また、セキュリティ装置４０は、作動状態となったときに第２の信号を送出する信号送出部を有しても良い。第２の信号の送信先は、紙幣の状態を監視する監視端末（不図示）である。この場合、抜き取るべき収納部ではない収納部が抜き取られたり、その抜き取りが試みられたりしてセキュリティ装置４０を作動させる条件が満たされると第２の信号が監視端末に送出される。よって、警備員等の監視端末を有する者が、発生した事象に迅速に対応することができる。
【００５５】
以上本発明の実施形態について説明したが、本発明は上記実施形態に限定されるものではなく、本発明の趣旨を逸脱しない範囲で種々の変更が可能である。例えば、多目的収納部２４、第１収納部２５及び第２収納部２６に加えて、回収部３３がセキュリティ装置４０を備えていても良い。また、誤操作防止装置５０は、回収部３３を第２収納庫３０に固定するロック機構５１、又は、回収部３３に対応付けられたランプ５２を更に有しても良い。
【００５６】
また、有価媒体処理装置が処理対象とする有価媒体は紙幣に限定されず、小切手、硬貨、商品券、代用貨幣などの価値を有する媒体を含む。すなわち、有価媒体処理装置は紙幣処理装置には限られない。
【産業上の利用可能性】
【００５７】
本発明は、セキュリティ装置を有する有価媒体処理装置に適用することができるので、その産業上の利用可能性は多大である。
【符号の説明】
【００５８】
１  紙幣処理装置
２  外部端末
１０  処理部
１１  上部筐体
１２  入金部
１２１  入金口
１３  出金部
１３１  出金口
１４  第２出金部
１５  搬送部
１５０  ループ状搬送路
１５１  第１分岐路
１５２  第２分岐路
１５３  第３分岐路
１５４  第４分岐路
１５５  第５分岐路
１６  識別部
１７  一時保留部
１８  制御部
２０  収納庫
２１  下部筐体
２２  収納庫扉
２３  引き出し部
２４  多目的収納部
２５  第１収納部
２６  第２収納部
２７  扉センサ
３０  第２収納庫
３１  底部筐体
３２  第２収納庫扉
３３  回収部
４０  セキュリティ装置
５０  誤操作防止装置
５１  ロック機構
５２  ランプ
Ｓ  収納領域
【図１】
2019032748.tif 000003
【図２】
2019032748.tif 000004
【図３】
2019032748.tif 000005
【図４】
2019032748.tif 000006